(57)【要約】【課題】接地線を外す作業をすることなく絶縁試験ができ、試験後も接地線を元に戻す復旧作業を不要にして、作業の効率化と復旧の作業忘れを防止することができるエレベータの制御装置を提供する。【解決手段】エレベータ制御回路１０に電源供給する制御電源８を備え、当該制御電源８により電源が供給される機器の電源線および信号線の大地に対する絶縁試験を行うようにしたエレベータの制御装置において、制御電源８に電源が投入されているときだけ付勢されるリレー９を備え、制御電源８のグランド側を大地に接地させる接地線に、リレー９の付勢時に接点閉成し、消勢時に接点開放するリレー接点９ａを介在させる。【選択図】図１
2005350217.tif 000002
【特許請求の範囲】
【請求項１】
エレベータの制御回路に電源供給する制御電源を備え、当該制御電源により電源が供給される機器の電源線および信号線の大地に対する絶縁試験を行うようにしたエレベータの制御装置において、
前記制御電源に電源が投入されているときだけ付勢されるリレーを備え、前記制御電源のグランド側を大地に接地させる接地線に、前記リレーの付勢時に接点閉成し、消勢時に接点開放するリレー接点を介在させた
ことを特徴とするエレベータの制御装置。
【請求項２】
請求項１に記載のエレベータの制御装置において、
前記リレーの付勢時に接点閉成し、消勢時に接点開放する補助接点と、
前記補助接点の接点閉成時に点灯する発光素子と
をさらに備えたことを特徴とするエレベータの制御装置。
【請求項３】
請求項２に記載のエレベータの制御装置において、
前記制御回路は、前記補助接点の出力を取り込み、リレーが動作していない場合のエレベータの運行の制御およびエラー表示を行う
ことを特徴とするエレベータの制御装置。
【発明の詳細な説明】
【技術分野】
【０００１】
この発明は、制御電源により電源が供給される機器の電源線および信号線の大地に対する絶縁試験を行うためのエレベータの制御装置に関するものである。
【背景技術】
【０００２】
従来のエレベータの制御装置において、制御電源により電源が供給される機器の電源線および信号線の大地に対する絶縁試験をする際には、制御電源のグランドに接続されている接地線を外してから絶縁試験を実施していた（例えば、特許文献１参照）。
【０００３】
【特許文献１】特開平６−１４４７３７号公報
【発明の開示】
【発明が解決しようとする課題】
【０００４】
このため、試験終了後は、接地線を復旧する作業が必要となるが、この際に接地線の誤配線や復旧の忘れ等の可能性があった。
【０００５】
この発明は上述した従来例に係る問題点を解消するためになされたもので、接地線を外す作業をすることなく絶縁試験ができ、試験後も接地線を元に戻す復旧作業を不要にして、作業の効率化と復旧の作業忘れを防止することができるエレベータの制御装置を提供することを目的とする。
【課題を解決するための手段】
【０００６】
この発明に係るエレベータの制御装置は、エレベータの制御回路に電源供給する制御電源を備え、当該制御電源により電源が供給される機器の電源線および信号線の大地に対する絶縁試験を行うようにしたエレベータの制御装置において、前記制御電源に電源が投入されているときだけ付勢されるリレーを備え、前記制御電源のグランド側を大地に接地させる接地線に、前記リレーの付勢時に接点閉成し、消勢時に接点開放するリレー接点を介在させたことを特徴とする。
【発明の効果】
【０００７】
この発明によれば、絶縁試験時に接地線を外す作業をすることなく試験ができ、試験後も接地線を元に戻す復旧作業がいらないため、作業の効率化と復旧の作業忘れを防止することができる。
【発明を実施するための最良の形態】
【０００８】
以下、この発明の実施の形態を図面に基づいて説明する。
実施の形態１．
図１は、この発明の実施の形態１に係るエレベータの制御装置を示す構成図である。図１に示すように、三相交流電源が、メインブレーカー１及び電磁接触器２を介してコンバータ３に供給されて、コンバータ３は交流電力を直流電力に変換する。コンバータ３により変換された直流電力は、平滑コンデンサ４を介してインバータ５に供給されて、可変電圧可変周波数の交流電力に変換され、モータ６に供給される。モータ６にはシーブ７が直結されており、シーブ７に巻き掛けられたロープの一端にはかご１４が設けられ、他端には釣合おもり１３が設けられている。
【０００９】
また、前記三相交流電源には、メインブレーカー１を介して制御電源８が接続され、制御電源８は、エレベータ制御回路１０及び安全回路１２に電源供給するようになされている。また、エレベータ制御回路１０からの駆動指令に基づいてインバータ駆動回路１１によりインバータ５を制御するようになされている。
【００１０】
さらに、前記制御電源８に電源が投入されているときだけ付勢されるリレー９が備えられ、制御電源８のグランド側を大地に接地させる接地線に、リレー９の付勢時に接点閉成し、消勢時に接点開放するリレー接点９ａが介在されていて、制御電源８の電源出力に接続されている電源線及び信号線の絶縁試験を実施するようになされている。
【００１１】
次に、図１に示す構成に係る動作について説明する。電源ＯＮ時は、制御電源８からリレー９のコイルに電圧が印加され、リレー接点９ａが閉じることにより制御電源８のグランドが大地に接地される。他方、電源ＯＦＦ時は、制御電源８からリレー９のコイルヘの電圧供給が途絶えるため、リレー接点９ａが開放する。
【００１２】
従って、実施の形態１によれば、電源ＯＦＦ時は、制御電源８からリレー９のコイルヘの電圧供給が途絶えるため、リレー接点９ａが開放し、制御電源８の電源出力に接続されている電源線及び信号線の絶縁試験を実施することができ、試験実施後は、電源を投入するだけでリレー９のリレー接点９ａが閉じるため、制御電源８のグランドを接地するための復旧作業が必要となくなり、復旧作業時の誤結線および復旧忘れを防止することができる。
【００１３】
実施の形態２．
図２は、この発明の実施の形態２に係るエレベータの制御装置を示す構成図である。図２に示す実施の形態２において、図１に示す実施の形態１と同一部分は同一符号を付してその説明は省略する。新たな構成として、この実施の形態２では、リレー９の付勢時に接点閉成し、消勢時に接点開放する補助接点９ｂと、補助接点９ｂの接点閉成時に点灯する発光素子１５とをさらに備えている。
【００１４】
従って、実施の形態２によれば、リレー９に補助接点９ｂを設け、補助接点９ｂの接点閉成時に点灯する発光素子１５を設けることにより、補助接点９ｂが閉じた場合だけ発光素子１５を点灯させてリレー９が動作していることを確認できる。
【００１５】
実施の形態３．
図３は、この発明の実施の形態３に係るエレベータの制御装置を示す構成図である。図３に示す実施の形態３において、図２に示す実施の形態２と同一部分は同一符号を付してその説明は省略する。この実施の形態３では、図２に示す実施の形態２における補助接点９ｂの出力をエレベータ制御回路１０が取り込み、リレー９が動作していない場合のエレベータの運行の制御およびエラー表示を行うようになされている。なお、図３においては、図２に示す発光素子１５が省略されているが、図２に示す実施の形態２と同様に設けてもよい。
【００１６】
従って、実施の形態３によれば、リレー９の補助接点９ｂの出力をエレベータ制御回路１０に取り込み、エレベータの運行の制御や制御装置にエラー出力を表示させることを可能にすることができる。
【図面の簡単な説明】
【００１７】
【図１】この発明の実施の形態１に係るエレベータの制御装置を示す構成図である。
【図２】この発明の実施の形態２に係るエレベータの制御装置を示す構成図である。
【図３】この発明の実施の形態３に係るエレベータの制御装置を示す構成図である。
【符号の説明】
【００１８】
１  メインブレーカー、２  電磁接触器、３  コンバータ、４  平滑コンデンサ、５  インバータ、６  モータ、７  シーブ、８  制御電源、９  リレー、９ａ  リレー接点、９ｂ  補助接点、１０  エレベータ制御回路、１１  インバータ駆動回路、１２  安全回路、１３  釣合おもり、１４  かご。
【図１】
2005350217.tif 000003
【図２】
2005350217.tif 000004
【図３】
2005350217.tif 000005